(57)【特許請求の範囲】
【請求項１】
躯体開口部を開閉するべく配設されたシャッターカーテンを閉鎖姿勢で施錠するための施錠装置であって、該施錠装置は、躯体側に設けられる錠受け具と、該錠受け具に係合する一対の施錠体と、該施錠体を錠受け具に係合する施錠姿勢と係合解除する解錠姿勢とに変姿する主施錠具と、該主施錠具の施錠姿勢を強制的に保持する施錠保持姿勢と主施錠具の変姿を許容する解錠許容姿勢とに変姿する副施錠具とを備え、施錠装置の施錠は、主施錠具を施錠姿勢に変姿した後、副施錠具を解錠許容姿勢から施錠保持姿勢に変姿させることで、主施錠具を施錠姿勢から解錠姿勢に変姿できない施錠状態となり、施錠装置の解錠は、副施錠具を施錠保持姿勢から解錠許容姿勢に変姿しなければ、主施錠具を施錠姿勢から解錠姿勢に変姿させることができないものであって、主施錠具は、屋内側に突出する操作摘みまたは屋外側面から挿入される解錠具の回転操作によって回転せしめられる主回転体と、主回転体に基端部が連結される一対の主リンク体とを備えて構成され、該主リンク体は、主回転体の回転操作で主リンク体が左右方向内方に位置する解錠姿勢と左右方向外方に突出して施錠体を錠受け具に係合する施錠姿勢とに変姿するように構成されるものとし、副施錠具は、屋内側に突出する操作摘みまたは屋外側面から挿入される解錠具の回転操作によって回転せしめられる副回転体と、他方の主リンク体と共に左右方向に一体に変姿する副リンク体と、前記副回転体に基端部が連結される副作動体とを備えて構成され、該副作動体は、副回転体の回転操作で副リンク体の施錠姿勢から解錠姿勢への変姿を規制する施錠保持姿勢と、施錠姿勢から解錠姿勢への変姿を許容する解錠許容姿勢とに変姿するように構成されていることを特徴とする建築用シャッター装置における施錠装置。
【発明の詳細な説明】
【０００１】
【発明の属する技術分野】
本発明は、建築物の開口部や出入り口部に設けられる建築用シャッター装置における施錠装置の技術分野に属するものである。
【０００２】
【従来の技術】
一般に、この種建築物の開口部や出入り口部に設けられて、開口部や出入り口部を開閉する建築用シャッター装置においては、盗難防止等のために閉鎖姿勢となったシャッターカーテンを施錠するための施錠装置が設けられている。このような施錠装置は、操作具の操作に基づいて施錠姿勢と解錠姿勢とに姿勢変姿するように構成されており、シャッターカーテンを閉鎖姿勢とした状態で、施錠装置を施錠姿勢にすることで、シャッターカーテンが施錠されるように構成されている。
【０００３】
【発明が解決しようとする課題】
しかるに、前記従来のシャッター装置において、施錠装置はシャッターカーテンの屋内側面に一つ設けられ、該施錠装置の操作具を操作することで、施錠、解錠を行うようにしている。
一方、近年、盗難等の被害が続出しており、このため、施錠装置をより強固なものにすることが提唱されているが、施錠装置を強固なものにする場合、大型なものになったり、重くなったりと、コンパクト化に反する問題が生じる惧れがあって問題があり、ここに本発明が解決しようとする課題があった。
【０００４】
【課題を解決するための手段】
本発明は、上記の如き実情に鑑み、これらの課題を解決することを目的として創作されたものであって、躯体開口部を開閉するべく配設されたシャッターカーテンを閉鎖姿勢で施錠するための施錠装置であって、該施錠装置は、躯体側に設けられる錠受け具と、該錠受け具に係合する一対の施錠体と、該施錠体を錠受け具に係合する施錠姿勢と係合解除する解錠姿勢とに変姿する主施錠具と、該主施錠具の施錠姿勢を強制的に保持する施錠保持姿勢と主施錠具の変姿を許容する解錠許容姿勢とに変姿する副施錠具とを備え、施錠装置の施錠は、主施錠具を施錠姿勢に変姿した後、副施錠具を解錠許容姿勢から施錠保持姿勢に変姿させることで、主施錠具を施錠姿勢から解錠姿勢に変姿できない施錠状態となり、施錠装置の解錠は、副施錠具を施錠保持姿勢から解錠許容姿勢に変姿しなければ、主施錠具を施錠姿勢から解錠姿勢に変姿させることができないものであって、主施錠具は、屋内側に突出する操作摘みまたは屋外側面から挿入される解錠具の回転操作によって回転せしめられる主回転体と、主回転体に基端部が連結される一対の主リンク体とを備えて構成され、該主リンク体は、主回転体の回転操作で主リンク体が左右方向内方に位置する解錠姿勢と左右方向外方に突出して施錠体を錠受け具に係合する施錠姿勢とに変姿するように構成されるものとし、副施錠具は、屋内側に突出する操作摘みまたは屋外側面から挿入される解錠具の回転操作によって回転せしめられる副回転体と、他方の主リンク体と共に左右方向に一体に変姿する副リンク体と、前記副回転体に基端部が連結される副作動体とを備えて構成され、該副作動体は、副回転体の回転操作で副リンク体の施錠姿勢から解錠姿勢への変姿を規制する施錠保持姿勢と、施錠姿勢から解錠姿勢への変姿を許容する解錠許容姿勢とに変姿するように構成されていることを特徴とする建築用シャッター装置における施錠装置である。
そして、このようにすることにより、施錠装置は、主、副施錠具の両者を順序よく操作しないと解錠されることがなく、防犯性を高めることができる。
【０００５】
【発明の実施の形態】
次に、本発明の実施の形態を図１〜図５の図面に基づいて説明する。
図面において、１はバランス式（手動式）の建築用シャッター装置を構成するシャッターカーテンであって、該シャッターカーテン１は、左右方向に長いスラット１ａの複数枚を上下方向に連結して構成されており、上端部が躯体開口部の上方に配されたシャッターケース２に内装される巻取りドラム３に連結されている。前記巻取りドラム３は、固定軸３ａと、該固定軸３ａに対し所定間隔を存して回動自在に外嵌する複数のホイール３ｂと、これらホイール３ｂとを軸方向に連結して各ホイール３ｂが一体回転するように配されるステー３ｃとを備えて構成されている。さらに巻取りドラム３には、一端が固定軸３ａに固定され、他端がホイール３ｂに固定されるバランス弾機４が設けられているが、該バランス弾機４は、巻取りドラム３に連結されたシャッターカーテン１を巻出すことに伴い、該巻出されたシャッターカーテン１の自重とバランスされる荷重に略相当する付勢力を蓄勢するように設定されている。また、開口部の左右両側部にはガイドレール５が形成されており、シャッターカーテン１の左右両側縁部を移動案内するように設定されている。
そして、シャッターカーテン１は、下方へ引き下げる閉鎖操作をすることにより、巻取りドラム３から巻出されて開口部を閉鎖する閉鎖姿勢となるとともに、バランス弾機４を蓄勢するように設定されており、これに対し、上方へ引き上げる開放操作をすることにより、バランス弾機の付勢力を受ける状態で上動して巻取りドラム３に巻取られ、開口部を開放する開放姿勢となるように構成されており、これらの構成は何れも従来通りの構成となっている。
【０００６】
前記シャッターカーテン１の屋内側面には、人が操作しやすい高さに位置してシャッターカーテン１を上下動操作するための手掛け１ｂが設けられ、さらにその上方の操作しやすい所定位置に、本発明が実施された主、副施錠具Ｒ１、Ｒ２で構成される施錠装置Ｒが設けられている。一方、該シャッターカーテン１の閉鎖姿勢で施錠装置Ｒ取付け位置に対向するガイドレール５には、錠受け具５ａが設けられている。
【０００７】
前記主施錠具Ｒ１はシャッターカーテン１を閉鎖姿勢に施錠するべく作動する施錠具であって、該主施錠具Ｒ１を構成するケーシング６は、シャッターカーテン１の前記所定位置のスラット１ａに取付けられる設定となっており、屋内外方向に薄型で、かつ、屋外側が開口するボックス形状に形成されており、開口端縁をスラット１ａに突当てる状態で取付けられるように構成されている。前記ケーシング６の底面（屋内側に位置する面）６ａには、該底面６ａに積層する板状の主回転体７の中心部が左右方向中央部に位置して回転自在に枢支されている。さらに、主回転体７の外周縁部屋外側面には、径方向に対向する部位に位置して左右一対の主作動体８の各基端部がピン８ａを介してそれぞれ枢支されている。これら主作動体８は、主回転体７板面に沿う板状体で形成されており、各先端部にはそれぞれ左右一対の主リンク体９の基端部が支軸９ａを介して枢支連結され、それぞれ左右方向外方に向けて延出状にに配設されている。これら主リンク体９は、基端部が回転体７とケーシング底面６ａとのあいだに移動自在に積層状に配されており、先端部はケーシング６から左右外方にそれぞれ突出してスラット１ａに沿って配設されている。
【０００８】
さらに、前記主回転体７の中心部には、主回転体７の回転中心となるべく主回転体７に一体となり、ケーシング底面６ａに対して回転自在となる主回転支軸７ａが屋内外方向貫通状に設けられており、該主回転支軸７ａのケーシング底面６ａを貫通して屋内側に突出する突出端部に、操作摘み７ｂが一体的に設けられる一方、屋外側の端部に、屋外側面から挿入される解錠具先端が嵌入するアタッチメント（図示せず）が取付けられている。そして、主回転体７は、これら操作摘み７ｂまたは解錠具の回転操作に基づいて回転せしめられることにより、主作動体８のピン８ａ連結部が回転変位するようになっており、これによって、主施錠具Ｒ１を解錠姿勢と施錠姿勢とに変姿させるように設定されている。
つまり、主施錠具Ｒの解錠姿勢では、主回転体７に連結される互いの作動体８のピン８ａ連結部同志が主回転支軸７ａを越える位置関係となっており、主リンク体９の先端部同志のあいだが近接するように設定されている。一方、この状態から主回転体７が矢印Ｘ方向に略１８０度回転して主施錠具Ｒ１を施錠姿勢に変姿した場合では、作動体８のピン８ａ連結部同志が左右方向に隣接する位置関係となり、主リンク体９の先端部同志のあいだが離間して、後述するように、シャッターカーテン１の施錠を行うように設定されている。
【０００９】
一方、前記副施錠具Ｒ２は、主施錠具Ｒ２の左右何れか一方（本実施の形態では、内観視（図１）において左側、図３、４、５において右側）に位置して配されており、前記主施錠具Ｒ１と略同形状のケーシング１０を介してスラット１ａに取付けられている。前記ケーシング底面１０ａの左右方向中央部には板状の副回転体１１が回転自在に配されている。前記副回転体１１の回転中心となり屋内外方向を向いて配される副回転支軸１１ａは、副回転体１１に対しては一体となり、ケーシング底面１０ａに対しては回転自在となるように配されており、副回転支軸１１ａの底面１０ａを貫通して屋内側に突出する端部には操作摘み１１ｂ、屋外側の端部には施錠具用アタッチメントが取付けられている。そして、これら操作摘み１１ｂまたは屋外側からの施錠具用アタッチメントの操作に基づいて副回転体１１が回転するように設定されていること等は主施錠具Ｒ１と同様の構成となっている。
【００１０】
さらに、副施錠具Ｒ２の副回転体１０の屋外側外周縁部には、左右方向に長い副作動体（本発明の作動体に相当する）１２の基端部がピン１２ａを介して枢支されているが、該副作動体１２は、図３、４、５において主作動体８の右側に配された主作動体８と略同形状に形成されたものの先端部に延長部１２ｂが形成されたものとなっており、該延長部１２ｂに左右方向に長い長孔１２ｃが開設されている。
一方、１３は、図３、４、５において、副施錠具Ｒ２の右側に配される長板状の副リンク体であって、該副リンク体１３は、主施錠具Ｒ１の右側に位置する主リンク体９と連結アーム１４を介して連結されており、主リンク体９と共に一体的に左右方向（水平方向）の変位をするように構成されている。そして、前記副リンク体１３の基端部には連結ピン１３ａが設けられており、該連結ピン１３ａを前記長孔１２ｃに移動自在に遊嵌することによって、副リンク体１３と副作動体１２とが長孔１２ｃを介して連結されるように設定されている。
【００１１】
そして、前記副施錠具Ｒ２は、図４に示すように、副作動体１２のピン１２ａ連結部が副回転支軸１１ａを越えて左側に位置する位置関係となっている状態では、長孔１２ｃが水平方向（左右方向）を向く解錠許容姿勢となっており、この状態において、副リンク体１３は連結ピン１３ａを介して長孔１２ｃ内を左右方向に移動することができるよう（移動可能）になっており、副リンク体１３の左右変位が許容される設定となっている。一方、後述するように、主施錠具Ｒ１が施錠姿勢となっている（図４に示す状態であって、副リンク体連結ピン１３ａが副作動体長孔１２ｃの右側端部に位置する）状態において、副回転体１１を矢印Ｘ方向に略１８０度回転させた（主施錠具Ｒ１の操作と同方向の回転操作がなされた）場合では、図５に示すように、副作動体ピン１２ａ連結部が副回転支軸１１ａの右側に変位して、長孔１２ｃが先端（右端）ほど上位に位置する傾斜状の施錠保持姿勢となり、この状態では、連結ピン１３ａが長孔１２ｃ内を左側方向（解錠方向）に移動することが規制されるように設定されており、これによって、副リンク体１３の左側への移動が規制される構成となっている。
【００１２】
そうして、前記施錠装置Ｒを構成する主施錠具Ｒ１の左側に位置する主リンク体９と、副施錠具Ｒ２の副リンク体１３との先端部には左右方向に長い連結リンク１５が連結され、該連結リンク１５の先端に、前記ガイドレール５側に配された錠受け具５ａに係合する施錠体１５ａが形成されている。そして、これら施錠体１５ａは、主施錠具Ｒ１が施錠姿勢となることで錠受け具５ａに係合し、また、主施錠具Ｒ１が解錠姿勢となることで錠受け具５ａとの係合が解除されるように設定されている。
尚、前記副リンク体１３は、前記主リンク体９の右側に伸長するものと同様の構成で、回転体１１の屋内側面とケーシング底面１０ａとのあいだに移動自在に積層状に配されており、先端部はケーシング１０から左右外方にそれぞれ突出してスラット１ａに沿って配設されている。
【００１３】
そして、主、副施錠具Ｒ１、Ｒ２の両者がそれぞれ解錠姿勢、解錠許容姿勢となっている場合では、図３に示すように、主施錠具Ｒ１は、主回転体７に連結される作動体８の互いのピン８ａ連結部同志が主回転支軸７ａを越える位置関係となって主リンク体９の両先端部同志のあいだが近接している。このとき、副施錠具Ｒ２は、副作動体長孔１２ｃの左側端部に副リンク体１３の連結ピン１３ａが位置しており、副リンク体１３は主リンク体９とともに左右方向外方（右側）への移動が許容される状態になっている。そしてこの主、副施錠具Ｒ１、Ｒ２の解錠姿勢および解錠許容姿勢において、各リンク体９、１３先端部に連結された連結リンク１５の施錠体１５ａはガイドレール５の錠受け具５ａから離間しており、シャッターカーテン１は解錠状態となっている。
ここで、主施錠具Ｒ１の主作動体８は、ピン８ａ連結部が他方の主作動体８側に向けて突出する突部８ｂに形成されているとともに、左右方向中間部に、他方の突部８ｂを嵌合するための凹部８ｃが形成されており、前記主施錠具Ｒ１の解錠姿勢において、互いの突部８ｂは他方の主作動体凹部８ｃに嵌入し、主作動体８を解錠姿勢に姿勢保持（主施錠具Ｒ１の解錠姿勢での姿勢保持）するように設定されている。一方、副施錠具Ｒ２のケーシング底面１０ａにはストッパピン１６が固着されており、該固着されたストッパピン１６が、解錠姿勢の回転体１１の矢印反Ｘ方向の回転を規制しており、副施錠具Ｒ２の解錠許容姿勢の姿勢保持がなされるように構成されている。
【００１４】
前記主、副施錠具Ｒ１、Ｒ２の解錠姿勢および解錠許容姿勢において、まず、主施錠具Ｒ１の操作摘み７ｂ等の操作に基づいて施錠姿勢に変姿させた場合、主解錠装置Ｒ１は、図４、図５に示すように、主リンク体９の先端部同志が互いに離間するように左右方向外方に変位する。このとき、図４に示すように、副施錠具Ｒ２の副リンク体１３は、主解錠装置Ｒ１の右側の主リンク体９とともに右側に（施錠方向に）強制変位しており、該副リンク体１３と左側の主リンク体９にそれぞれ連結された連結リンク１５の施錠体１５ａが錠受け具５ａに係合するように設定されている。尚、副リンク体１３の強制変位は、前述したように、副施錠具Ｒ２の解錠許容姿勢において、長孔１２ｃが水平方向を向いていて連結ピン１３ａの左右両方向への移動が許容されているからであり、この状態となると、連結ピン１３ａは長孔１２ｃの右側端部に位置するように設定されている。
因みに、主施錠具Ｒ１の各主リンク体９の基端部には係合突部９ｂが形成されており、各主リンク体９が施錠姿勢に変姿することに伴い、係合突部９ｂと主回転体７に形成された係合受け部７ｃとが係合することにより、主回転体７のそれ以上の矢印Ｘ方向への回転が規制されるように構成されており、このようにして、主施錠具Ｒ１の施錠姿勢が姿勢保持されるように設定されている。
【００１５】
そして、この状態において、副施錠具Ｒ２の副作動体長孔１２ｃは水平方向を向いていることから、主施錠具Ｒ１を解錠姿勢に変姿させることで、主リンク体9と共に副リンク体１３を変位させて、シャッターカーテン１を解錠することも可能であるが、副施錠具Ｒ２の操作摘み７ｂまたは施錠具を操作することにより副回転体１１を回転させて施錠保持姿勢に変姿させた場合では、副作動体１２は連結ピン１３ａに対して長孔１２ｃが沿う状態で右側に変位し、図５に示すように、長孔１２ｃの長孔方向が先端側ほど上位となる傾斜状に変位するとともに、連結ピン１３ａは長孔１２ｃの左側端部に位置するように設定されている。この状態となると、副リンク体１３は、水平方向（左側方向であって、解錠方向）への変位が規制されることになって、第一施錠装置Ｒ１側を解錠しようとしても解錠することができなくなるように設定されている。
尚、副施錠具Ｒ２の施錠保持姿勢における姿勢保持は、副リンク体１３の基端縁１３ｂと副回転体１１の突片１１ｂとの係合によりなされるように設定されている。
ここで、主、副作動体８、１２および主、副リンク体９、１３の基端部はそれぞれケーシング６、１０内に収容されており、主、副リンク体９、１３は、各基端部をそれぞれ上下に変位した折曲片部９ｃ、１３ｂに形成され、これら折曲片部９ｃ、１３ｂがケーシング６の上下面および底面６ａにガイドされる状態で変位するように設定されている。これによって主、副リンク体９、１３は、操作摘み７ｂ、１１ｂ等の操作に基づいて円滑な左右方向への変位がなされるようになっている。
【００１６】
一方、主、副施錠具Ｒ１、Ｒ２が共に施錠姿勢および施錠保持姿勢となってシャッターカーテン１を施錠している状態から解錠するには、まず、副施錠具Ｒ２を解錠許容姿勢として、副作動体長孔１２ｃを水平方向に向けて副リンク体１３の連結ピン１３ａが長孔１２ｃ内を移動できる状態とし、その後、主施錠具Ｒ１を解錠姿勢とするように設定され、これによって、右側の主リンク体９が副リンク体１３とともに解錠方向に変位して、シャッターカーテン１の解錠を行うように設定されている。
【００１７】
叙述の如く構成された本発明の実施の形態において、シャッターカーテン１を施錠するための施錠装置Ｒは主、副施錠具Ｒ１、Ｒ２により構成され、前述したように、主施錠具Ｒ１を施錠姿勢とすることにより、連結リンク１５の施錠体１５ａがガイドレール５側の錠受け具５ａに係合してシャッターカーテン１の施錠がなされるが、この状態で、副施錠具Ｒ２を施錠保持姿勢とすることで、主施錠具Ｒ１の解錠をしようとしても解錠することができないようになっている。そして、予め副施錠具Ｒ２を解錠許容姿勢とし、その後、主施錠具Ｒ１を解錠姿勢とするという手順で操作することで、シャッターカーテン１の解錠ができるようになっている。この結果、施錠装置Ｒは、主、副施錠具Ｒ１、Ｒ２を正しい順序で解錠しない限り解錠することができず、解錠操作を知らないものにとっては解錠操作が難しく、仮令解錠可能としても解錠時間が長くなってしまい、防犯性を高めることができる。
しかもこのものでは、主施錠具Ｒ１と略同形の副施錠具Ｒ２を並列状に取付けるだけの構成であり、装置が大型化することなく防犯性を向上させることができる。
【００１８】
さらに、本実施の形態において、施錠装置Ｒは、主施錠具Ｒ１を施錠することでシャッターカーテン１の施錠がなされる構成となっていて、該施錠姿勢となった主施錠具Ｒ１の解錠を規制するように副施錠具Ｒ２が設けられる構成であるので、主施錠具Ｒ１のみを使用してシャッターカーテン１の施錠−解錠をすることも可能である。
【図面の簡単な説明】
【図１】バランス式シャッター装置の一部切欠き背面図である。
【図２】施錠装置取付け部分の一部切欠き背面図である。
【図３】施錠装置の解錠姿勢を説明する正面側からの内観図である。
【図４】主施錠具の施錠姿勢、副施錠具の解錠許容姿勢を説明する正面側からの内観図である。
【図５】主施錠具の施錠姿勢、副施錠具の施錠保持姿勢を説明する正面側からの内観図である。
【符号の説明】
１    １シャッターカーテン
２    シャッターケース
３    巻取りドラム
４    バランス弾機
５    ガイドレール
５ａ    錠受け具
６    ケーシング
７    主回転体
８    主作動体
９    主リンク体
１１    副回転体
１２    副作動体
１３    副リンク体
１４    連結アーム
１５    連結リンク
１５ａ    施錠体
Ｒ１    主施錠具
Ｒ２    副施錠具
Ｒ    施錠装置
【図１】
0003809387.tif 000002
【図２】
0003809387.tif 000003
【図３】
0003809387.tif 000004
【図４】
0003809387.tif 000005
【図５】
0003809387.tif 000006